(57)【特許請求の範囲】
【請求項１】
銃のサイト装置において、銃身先端部に板状のフロントサイトを設け、上面視で銃身と同方向である照準線と板平面が斜めに交差するよう配置され、照準しないがわの目の視線軸がフロントサイトの板平面の斜め方向と一致するオ−プンサイト装置。
【請求項２】
銃のサイト装置において、板状のリアサイトを設け、上面視で銃身と同方向である照準線と板平面が斜めに交差するよう配置され、照準しないがわの目の視線軸がリアサイトの板平面の斜め方向と一致するオ−プンサイト装置。
【発明の詳細な説明】
【技術分野】
【０００１】
本発明は、サバイバルゲームなどの接近戦で使用されるトイエアガンなどの、照準装置に関するもので、より詳細には、両眼視で照準しやすいオ-プンサイト装置に関するものである。
【背景技術】
【０００２】
トイエアガンを使用する  サバイバルゲームでは、索敵で、先に相手を発見できる広い視野とその後迅速に照準射撃ができるかどうかで勝負が決まる。  一般にガンの照準はフロントサイトとリアサイトの照準線一致によってなされるオープンサイトか、外部取り付け方式のドットサイト、スコープなどがあり使用されている。
【０００３】
しかし、フロントサイトとリアサイトを使用するオープンサイトの射撃方式は、目標捕捉後一旦移動を停止し、それから半身に構えて片目で目標を目視して、視線と、フロントサイトからリアサイトまで貫通する照準線が、一致する様に銃を移動し射撃する。この方式の操作時間は銃を扱う使用者の熟練度により大きく左右されます。その上、射撃中は片目の為、視界が狭くなり周りの警戒量が落ちるため、サバイバルゲームのような多数の敵を同時に相手にする接近戦では、見落とした新たな敵に撃たれてしまう事が多い問題点があります。
【０００４】
その問題点の解決策として両眼視での照準射撃があります。両眼視で照準射撃できるサイト装置ではドットサイトがあります。    しかし、照準時、相手からの照準線上にあるドットに銃身を合わせるまでドットがドットサイト面に現れないので、より高度な訓練による、サイト無しでも銃身を照準線に大まかに合わせることができる照準技術を必要とします。また、この対策としてサイト面を大きくすると筐体が大きくなって目の前の視界を狭くする問題が発生します。
【０００５】
また、従来のオ-プンサイト装置を設置した小銃での両眼視での照準では、サイトを覗く目の前に照準線上の標的相手iと、フロントサイト及び銃身の上部がセンターに現れ見えます。この時、照準しない方の眼も開けると、新たに右斜め下に、左側から見た銃身の像と、フロントサイトが現れ重なって見えます。（図１２参照）    この作用により、両眼視では同じフロントサイトhが二本同様に前方に見えるので照準しにくい問題点があります。
【０００６】
その上、オ-プンサイトを使用するハンドガンでの照準時、照準しない方の眼も開けると、同様のリアサイトWが二つ見え、接近戦などで相手が突然現れたりすると、どちらのリアサイトに合わせたらよいか分からなくなる問題点があります。（図１４参照）こうなると、パニック状態になり照準しないで射ってしまう場合があります。これでは目の前のすぐそばいる相手でも当たりません。
【先行技術文献】
【特許文献】
【０００７】
【特許文献１】特願２０１９-１４５１００                      特開昭６０-６９４９８
【発明の概要】
【発明が解決しようとする課題】
【０００８】
解決しようとする問題点は、サバイバルゲームなどの接近戦で、周りの警戒量を落とさないで、一瞬で照準し、射撃できる両眼視しやすい照準装置がない点であります。
【課題を解決するための手段】
【０００９】
本発明は、上記の目的を達成するために銃身先端部に板状のフロントサイトを設け、上面視で照準線と板平面が斜めに交差するよう配置され、照準しないがわの目の視線軸がフロントサイトの板平面と一致するよう構成します。これにより、照準している目からは従来と同じようにフロントサイトが見えます。そして、照準しないがわの目には板状のフロントサイトの板厚ぶんの側面しかみえないので、ストレスなく照準できます。
【００１０】
さらに本発明は、板状のリアサイトを設け、上面視で照準線と板平面が斜めに交差するよう配置され、照準しないがわの目の視線軸がリアサイトの板平面と一致するよう構成します。これにより、照準している目からは従来と同じようにリアサイトが見えます。そして、照準しない側の目には板状のリアサイトの板厚分の側面しかみえないので、ストレスなく照準できます。
本発明は、これらの構成による両眼視しやすいオ-プンサイト装置からなります。                                                              
【発明の効果】
【００１１】
本発明によればサバイバルゲームなどの接近戦で使われるトイエアガンなどの銃か、又は接近戦で使われるハンドガンなどの実銃に、両眼視で照準がしやすいオープンサイト装着を提供できる長所があります。                                                                                                                                              
【００１２】
また、  サバイバルゲーム中サイトの構成部品が少なく、前面の構造物が少ないので広く索敵できます。また発見後一瞬で照準し射撃できうえ、両眼視で照準しやすいので照準態勢を長時間疲れなく維持できます。さらに、両目を開いて移動しながら索敵し、照準射撃をできます。
【図面の簡単な説明】
【００１３】
【図１】図１は従来の小銃でのフロントサイトの使用例の視線を示した図である。（従来例）
【図２】図２は図１の視線を上面から見た平面図で作用を説明した解説図である。（従来例）
【図３】図３は実施例１のフロントサイトの視線を示した斜視図である。（実施例１）
【図４】図４は実施例１の視線を上面から見た平面図で作用を説明した解説図である。（実施例１）
【図５】図５は従来のハンドガンでのサイトと照準線を示した斜視図である。
【図６】図６は従来のハンドガンでのリアサイトの視線を示した斜視図である。
【図７】図7は従来のハンドガンでのリアサイトの視線を上面から見た平面図で作用を説明した解説図である。
【図８】図8は実施例2のハンドガンでのサイトと照準線を示した斜視図である。（実施例2）
【図９】図９は実施例2のリアサイトの視線を示した斜視図である。（実施例2）
【図１０】図１０は実施例2の視線を上面から見た平面図で作用を説明した解説図である。（実施例2）
【図１１】図１１は実施例2の3面図で照準している目に見えるリアサイト面と照準していない目に見えるリアサイト面を表示している。（実施例2）
【図１２】図１２は従来の小銃でフロントサイトを両眼視した場合、視認出来るフロントサイトと目標物を表した図である。
【図１３】図１３は本発明の小銃でフロントサイトを両眼視した場合、視認出来るフロントサイトと目標物を表した図である。（実施例1）
【図１４】図１４は従来のハンドガンでリアサイトを両眼視した場合、視認出来るリアサイトと目標物を表した図である。
【図１５】図１５は本発明のハンドガンでリアサイトを両眼視した場合、視認出来るリアサイトと目標物を表した図である。（実施例2）
【図１６】図１６は実施例1のフロントサイトの3面図で照準している目に見える面と照準していない目に見える面を表示している。（実施例1）
【発明を実施するための形態】
【実施例１】
【００１４】
図３は、本発明の実施例１のフロントサイトの視線を示した斜視図であって、ａはトイエアガンｐ−９０、ｊはフロントサイト、ｗはリアサイト、eは右目、ｄは左目、ｆは照準線で銃身と並行して標的である目標物を捉えています。
ｇは標的への左目からの視線で、ｋはこの時視界の右端に見えるフロントサイまでの視線を表しています。Aはストックで右肩に当て、銃を体に両腕で抑えて顔面の位置をサイトに固定し、右目が照準線から外れないようにしています。
【００１５】
図４は、実施例１の視線を上面から見た平面図で、本発明フロントサイト装置の実施例１の位置関係を表している。d,e,k,g,j,w,a,f,は図３と同じである。Jフロントサイトは0.3ｍｍのステンレス板で製作している。眼球から目標物までの距離を３０ｍで設定し、眼球とフロントサイトの間隔を233ｍｍに設定してある。  ｋ  は眼球  ｄ  から視界の右端に見えるフロントサイト  ｊ  までの視線でステンレス板平面と一致しています。
【００１６】
図１３は本発明のフロントサイトを設置した小銃でフロントサイトを両眼視した場合、視認出来るフロントサイトjと目標物  i を表した図である。（実施例1）  ｊ はフロントサイト、  vは右目で照準したとき見える銃身の上部でありセンターに見え、目標物  I  を捉えている。    右下に左目で見た銃身zが位置し、先端に本発明のフロントサイトjが薄く見える。  これらの作用により、  両眼視での照準でもセンターに太くフロントサイトjだけ１本見えるのでストレスなく両眼視で照準できます。
【００１７】
図１６は実施例1のフロントサイトの3面図で、照準している目に見える面  オ  と、照準していない目に見える面  エ  を表示している。（実施例1）カ、はベースウ、を銃本体のレ−ルに固定するボルトであり、銃身上の前後任意の位置に固定出来ます。    jは本発明のフロントサイトであり、ベースウ、にビス２本で角度を可変できるように固定されています。これにより、ｋ  フロントサイトへの左目からの視線、と  f  照準線との角度を調整することができ、j  フロントサイト板平面を,ｋフロントサイトへの左目からの視線に一致させるように調整ができます。
【実施例２】
【００１８】
図8は実施例2のハンドガンでのサイトと照準線を示した斜視図であり、  リアサイトｙ  が板状で構成され照準線fと斜めに交差するように設けられている。
【００１９】
図９は、本発明の実施例２  のリアサイトの視線を示した斜視図である。ハンドガン c は反動を避けるため顔面から離れて保持される。ｃ はハンドガン  コルトセンチメーター、ｊはフロントサイト、y は本発明リアサイト、eは右目、ｄは左目、ｆは照準線で銃身と並行して標的である目標物を捉えている。
ｇは標的への左目からの視線で、s はこの時視界の右端に見えるリアサイまでの視線を表している。図10は実施例2の上面図で視線とリアサイトの位置関係を表している。j , c , y , g , f , s , e , d ,は図９と同じである。yリアサイトの板平面が照準線f ,と斜めに交差するよう設置され,視線s と一致するよう構成されている。                                  
【００２０】
図１１は実施例2の3面図で、照準している目に見える面と、照準していない目に見える面を表示している。（実施例2）j , c , y , f , s ,は図９と同じである。イは照準している右目に見えるリアサイトの像を表している。t  は視線  ｓ  から左目に見えるリアサイトの像を表している。リアサイト, y ,は、0.3ｍｍのステンレス板で製作しいて、照準線  ｆ  と角度1０.  5°で斜めに交差させて設置している。
【００２１】
図１５は本発明のハンドガンでリアサイトyを両眼視した場合、視認出来るリアサイトyと、フロントサイトjと、目標物iを表した図である。（実施例２）  j はフロントサイト、センターに見えるyは右目で照準したとき見えるリアサイトyであり、右側に見えるyは左目で見たリアサイトyの板側面であり、薄い板厚分だけ見える。    これらの作用により、両眼視での照準でもセンターに太くリアサイトyだけ見えるのでストレスなく照準できます。
【産業上の利用可能性】
【００２２】
サバイバルゲームなどの接近戦で、サイトの構成部品が少なく、銃前面の構造物が少ないので視界.が広く、両眼視で広範囲に索敵できる。また、両眼視で敵を発見した後、両眼視で照準し、一瞬で射撃できます。その上、両眼視で移動しながら照準し射撃できます。
【符号の説明】
【００２３】
ａ    Ｐ−９０トイエアガン
A    Ｐ−９０トイエアガンのストック部
ｃ    コルトセンチメ-タ-ハンドガン
ｄ    左眼球
ｅ    右眼球
f    照準線
ｇ    目標物への左目からの視線
ｈ    従来のフロントサイト
ｉ    標的目標物
ｊ    本発明のフロントサイト
ｋ    フロントサイトへの左目からの視線
ｍ  ゴ-グル
ｎ    右腕
s    左目からリアサイトへの視線
t    左目から見たリアサイト
v    右目から見た  Ｐ−９０の銃身
w    従来のリアサイト
y    本発明リアサイト
z    左目から見たＰ−９０の銃身
ア    左目から見たハンドガン.の銃身と後端部
イ    右目から見たハンドガンの後端部
ウ    フロントサイトのベース
エ    左目から見たフロントサイト
オ    右目から見たフロントサイト
カ    取付けボルト    
【要約】      （修正有）【課題】サバイバルゲームなどの接近戦で、周りの警戒量を落とさないで、一瞬で照準し、射撃できる両眼視しやすい照準装置を提供する。【解決手段】銃身先端部に板状のフロントサイトｊを設け、上面視で照準線ｆと板平面が斜めに交差するよう配置され、照準しないがわの目の視線軸がフロントサイトの板平面と一致する。さらに、板状のリアサイトｙを設け、上面視で照準線と板平面が斜めに交差するよう配置され、照準しないがわの目の視線軸ｓがリアサイトの板平面と一致する。【選択図】図９【図１】
0006749046.tif 000002
【図２】
0006749046.tif 000003
【図３】
0006749046.tif 000004
【図４】
0006749046.tif 000005
【図５】
0006749046.tif 000006
【図６】
0006749046.tif 000007
【図７】
0006749046.tif 000008
【図８】
0006749046.tif 000009
【図９】
0006749046.tif 000010
【図１０】
0006749046.tif 000011
【図１１】
0006749046.tif 000012
【図１２】
0006749046.tif 000013
【図１３】
0006749046.tif 000014
【図１４】
0006749046.tif 000015
【図１５】
0006749046.tif 000016
【図１６】
0006749046.tif 000017